(57)【要約】【課題】個人事業主及び発注者が自社の健康保険料と他社の健康保険料を比較・検討でき、発注から契約・転籍・請負・派遣・雇用契約まで可能なサーバ装置及び検索システムを提供する。【解決手段】サーバ装置２０は、端末装置１０から送信される求職者情報及び求人情報を受信する通信部２１と、通信部２１で受信された情報を記憶する情報記憶部２２と、情報記憶部２２に記憶された情報に基づいて、求職者に対応する求人情報、及び当該求職者の現在の社会保険料以下の金額の社会保険料情報を検索するための情報処理を行う情報処理部２３と、を備える。そして、通信部２１は、情報処理部２３により得られた検索結果情報を当該求職者の端末装置１０へ送信する。【選択図】図１
2020102018.tif 000002
【特許請求の範囲】
【請求項１】
端末装置から送信される求職者情報及び求人情報を受信する受信部と、
前記通信部で受信された情報を記憶する情報記憶部と、
前記情報記憶部に記憶された情報に基づいて、求職者に対応する求人情報、及び当該求職者の現在の社会保険料以下の金額の社会保険料情報を検索するための情報処理を行う情報処理部と、
前記情報処理部により得られた検索結果情報を当該求職者の端末装置へ送信する送信部と、
を備えたサーバ装置。
【請求項２】
個人事業主を含む求職者又は企業の情報を送信する複数の端末装置と、
前記端末装置からの情報を受信し、検索結果情報を前記端末装置へ送信する請求項１に記載のサーバ装置と、
を備えた検索システム。 
【発明の詳細な説明】
【技術分野】
【０００１】
本発明は、サーバ装置及び検索システムに関する。
【背景技術】
【０００２】
従来、求職者と求人企業のミスマッチの発生を抑制し得る求人求職マッチングシステムが開示されている（特許文献１参照）。
【０００３】
特許文献１のマッチングシステムでは、サーバ装置は、企業側端末装置からアップロードされた実務情報（就職時に実際に従事する職務情報）を蓄積するとともに、実務情報を求職者端末装置に送信し、求職者が就職前に実務体験を希望する日時情報を企業側端末装置に送信し、求職者が実務を体験する予定の日時情報を求職者端末装置に送信する。
【０００４】
また、実務体験の終了後、サーバ装置は、求職者が求人企業に入社を希望するか辞退するかの選択情報を求職者端末装置から受信し、求人企業が求職者を採用するか採用しないかの選択情報を企業側端末装置から受信する。求職者が入社を希望し、かつ、求人企業が求職者を採用する場合には、サーバ装置は、求職者端末装置や企業側端末装置にマッチング完了メールを送信する。
【先行技術文献】
【特許文献】
【０００５】
【特許文献１】特開２０１７−１５６７８３号公報
【発明の概要】
【発明が解決しようとする課題】
【０００６】
特許文献１のマッチングシステムでは、求職者は、各企業の社会保険料を比較・検討することができない問題がある。一方、企業は、求職者に社会保険料を提示することができず、さらに、他の企業が同じ職種の求職者に対してどの程度の社会保険料を提示するのか分からない問題がある。
本発明は、上述した実情を鑑みて提案された発明である。
【課題を解決するための手段】
【０００７】
本発明に係る検索サーバ装置は、端末装置から送信される求職者情報及び求人情報を受信する受信部と、前記通信部で受信された情報を記憶する情報記憶部と、前記情報記憶部に記憶された情報に基づいて、求職者に対応する求人情報、及び当該求職者の現在の社会保険料以下の金額の社会保険料情報を検索するための情報処理を行う情報処理部と、前記情報処理部により得られた検索結果情報を当該求職者の端末装置へ送信する送信部と、を備えている。
【０００８】
本発明に係る検索システムは、個人事業主を含む求職者又は企業の情報を送信する複数の端末装置と、前記端末装置からの情報を受信し、検索結果情報を前記端末装置へ送信する前記サーバ装置と、を備えている。
【発明の効果】
【０００９】
本発明は、個人事業主を含む求職者、企業の事業主がそれぞれ社会保険料を比較検討して、簡単なクリック操作だけで、インターネット上で求人求職することができる。
【図面の簡単な説明】
【００１０】
【図１】保険労務管理委託システムの構成を示す図である。
【図２】入力画面の一例を示す図である。
【発明を実施するための形態】
【００１１】
以下、本発明の実施形態について図面を参照しながら詳細に説明する。
図１は、保険労務管理委託システム１の構成を示す図である。保険労務管理委託システム１は、求職者（個人事業主を含む。）及び事業主（企業）から送信された情報を集計して、求職者にマッチした求人情報及び社会保険料等の情報を提供する一方で、事業主に他企業の求人情報及び経費を含む社会保険料等の情報を提供するものである。
【００１２】
保険労務管理委託システム１は、求職者側又は企業側に設けられた複数の端末装置１０と、検索するための情報処理を行うサーバ装置２０と、複数の端末装置１０とサーバ装置２０とを相互に接続するインターネット等の通信回線３０と、を備えている。
【００１３】
端末装置１０は、求職者又は企業に関する情報を入力するための入力部１１と、サーバ装置２０との間で情報通信するための通信部１２と、当該端末装置１０の制御系を司る制御部１３と、入力画面又は検索結果画面を表示する表示部１４と、を備えている。
【００１４】
図２は、入力画面の一例を示す図である。入力画面には、登録者情報、職種、取引内容、エリア、企業用の保険料（事務経費を含む）、求職者用（個人事業主を含む）の現在の保険料が表示される。なお、図２の入力画面は一例であり、図２に示した情報以外の情報があってもよい。
【００１５】
登録者情報には、会社名、氏名、メールアドレス、ファックスがある。会社名に情報が入力された場合、この入力画面に入力された各情報は、企業情報として取り扱われる。氏名に情報が入力された場合は、この入力画面に入力された各情報は、求職者（個人事業主を含む）の情報として取り扱われる。
【００１６】
メールアドレスは、検索結果の情報を電子メールで受け取る場合の送信先アドレスである。ＦＡＸは、検索結果の情報をファクシミリで受け取る場合のＦＡＸ番号である。
職種には、飲食、販売、接客、医療、ドライバー、製造、理美容、その他について、それぞれチェックボックスがある。
【００１７】
取引内容には、請負、派遣、業務委託、正社員、パート、派遣依頼の申込について、それぞれチェックボックスがある。
エリアには、山口県、福岡県、大分県、広島県について、それぞれチェックボックスがある。
【００１８】
企業用保険料（事務経費を含む）には、〜１万円、〜１万５千円、〜２万円、〜３万円、〜４万円、〜５万円、５万１円〜について、それぞれチェックボックスがある。
求職者用保険料（個人事業主を含む）には、〜１万円、〜１万５千円、〜２万円、〜３万円、〜４万円、〜５万円、５万１円〜について、それぞれチェックボックスがある。
【００１９】
図１に示す入力部１１には、入力画面に入力された情報が入力される。
通信部１２は、入力部１１に入力された情報をサーバ装置２０へ送信する。また、通信部１２は、サーバ装置２０からの検索結果情報を受信する。表示部１４は、通信部１２で受信された検索結果情報を表示する。
【００２０】
サーバ装置２０は、各端末装置１０との間で情報通信するための通信部２１と、各端末装置１０から送信された情報を記憶する情報記憶部２２と、情報記憶部２２に記憶された情報を用いて検索のための情報処理を行う情報処理部２３と、を備えている。
【００２１】
情報処理部２３は、情報記憶部２２に記憶された情報を用いて、求職者又は事業主にマッチした情報を検索する。通信部２１は、情報処理部２３により得られた検索結果情報を、求職者又は企業の端末装置１０へ送信する。つまり、サーバ装置２０は、求職者に対して、現在の社会保険料以下の社会保険料になっている企業の求人情報を有する検索結果情報を送信する。また、サーバ装置２０は、事業主に対して、社会保険料等を含む事務経費を比較した検索結果情報を送信する。
【００２２】
以上のような保険労務管理委託システム１により、求職者は、簡単にクリックするたけで、仕事探し・各企業の保険料の比較を行うことができる。
また、事業主（企業）は、簡単にクリックするだけで、仕事の依頼だけでなく、各企業の保険料の比較、仕事探しを行うことができる。つまり、事業主は、仕事の依頼と仕事探しを同時に行うことができる。
【００２３】
また、保険労務管理委託システム１を利用することにより、事業主は、社会保険料、行政手続等の事務経費と委託料（請負、派遣、転籍）を比較できる。そして、事業主は、比較結果を考慮して、全部又は一部の労務管理を一括して他社に委託することができる（インターネット上で完結できる）。
【００２４】
さらに、特定の企業（以下「Ａ社」という。）が保険労務管理委託システム１と契約して、個人情報と給料等の待遇を保険労務管理委託システム１に入力すると、以下のことが実現される。
保険労務管理委託システム１は、労働者名簿を作成できる。具体的には、保険労務管理委託システム１は、社会保険番号、雇用保険番号、各種許可番号が記入されたデータである労働者名簿を作成し、当該労働者名簿をインターネット上で閲覧可能にしたり、電子メールで送信したりすることができる。
【００２５】
保険労務管理委託システム１は、給料の計算、振込依頼、給料明細を作成し、これらをインターネット上で閲覧可能にしたり、電子メールで送信したりすることができる。
保険労務管理委託システム１は、各企業の比較結果の情報とＡ社の情報に基づいて各種の契約書を作成して、これらをインターネット上で閲覧可能にしたり、電子メールで送信したりすることができる。
【００２６】
保険労務管理委託システム１は、雇用関係や各種の契約書類をインターネット上に保管して、これらをインターネット上で閲覧可能にしたり、電子メールで送信したりすることができる。
保険労務管理委託システム１は、各企業の比較結果の情報とＡ社の情報に基づいて税金に関する計算書類を作成して、これらをインターネット上で閲覧可能にしたり、電子メールで送信したりすることができる。
【００２７】
また、保険労務管理委託システム１は、各企業の比較結果を用いて各企業のスタッフとマッチングすることも可能であり、マッチングした場合は、電子メール又はファクシミリにて連絡することも可能である。
【符号の説明】
【００２８】
１  保険労務管理委託システム，１０  端末装置，１１  入力部，１２  通信部，１３  制御部，１４  表示部，２０  サーバ装置，２１  通信部，２２  情報記憶部，２３  情報処理部，３０  通信回線
【図１】
2020102018.tif 000003
【図２】
2020102018.tif 000004